(57)【要約】【課題】遊技盤と透視部材との間隔を規定範囲としつつ、斬新で遊技者が楽しめるパチンコ機１を提供する。【解決手段】遊技盤１０の前方を覆う透視部材１０５の一部を突出透視部１０５ａとし、その背面側の凹部には遊技球を進入させない構成とされているので、遊技球が流下する領域については遊技盤１０と透視部材１０５との間隔を規定範囲（１３ｍｍ〜２５ｍｍ）にできる。突出透視部１０５ａの凹部を利用してセンター役物１４（液晶表示装置１５）を大幅に突出させることができ、突出分だけセンター役物１４（液晶表示装置１５）を大型化でき、迫力を出したり強調することができる。【選択図】　図３
2004121551.tif 000002
【特許請求の範囲】
【請求項１】
遊技盤と、該遊技盤にほぼ平行に配される透視部材とを備えて、前記遊技盤と前記透視部材との間を流下する遊技球の挙動により遊技が行われる弾球遊技機において、
前記透視部材の一部を前方に突出した突出透視部とし、該突出透視部の背面側に形成される凹部には遊技球を進入させない構成とされていることを特徴とする弾球遊技機。
【請求項２】
遊技盤と、該遊技盤に装着された遊技部材と、該遊技盤にほぼ平行に配される透視部材とを備えて、前記遊技盤と前記透視部材との間を流下する遊技球の挙動により遊技が行われる弾球遊技機において、
前記透視部材の一部よりも前方に突出する突出部を有する前記遊技部材と、
前記突出部を覆う透明カバーとを備え、
前記透明カバーの背面側に形成される凹部には遊技球を進入させない構成とされていることを特徴とする弾球遊技機。
【請求項３】
請求項２記載の弾球遊技機において、
前記突出部を有する前記遊技部材は表示装置であることを特徴とする弾球遊技機。
【発明の詳細な説明】
【０００１】
【発明の属する技術分野】
本発明は、弾球遊技機の技術分野に属する。
【０００２】
【従来の技術】
パチンコ機やアレンジボール式パチンコ機等の弾球遊技機は、遊技盤の前方を遊技盤とほぼ平行なガラス板で覆って遊技領域を形成し、その遊技領域に入賞口、電動役物、表示装置、風車、釘等の遊技部材を配置して、遊技領域を流下する遊技球の挙動（入賞するかしないか、得点が成立するかしないか）により遊技が行われる。
【０００３】
通常、ガラス板は枠に取付けられており、その取付けられている枠は、片側に軸が設けられ遊技者側に開閉可能になっているので、例えば取付作業、メンテナンス、球つまりなどの解除等に際してはガラス板（枠）を開閉できる。また、ガラス板が傷付いたりした時に交換できるようにガラス板自体の交換もできるようになっている。
【０００４】
なお、遊技規則では遊技盤とガラス板（透視部材）とは平行であって、遊技盤の表面とガラス板の表面（遊技盤側の）との距離は１３ｍｍ〜２５ｍｍと定められている。ただし、遊技盤に切り欠きや凹部を設け、そこに役物、入賞装置、表示装置などを配置して、遊技球が遊技盤の表面より後方に流下するのは許されているので、これを利用して、遊技球の左右の動きだけでなく、前後の動きを出すことも行われている。特に、遊技球の動きで遊技者を楽しませる第２種遊技機などは、遊技球が遊技盤の表面よりかなり後方まで流下する。
【０００５】
一方、透視部材の一部にガラスや合成樹脂等で湾曲膨出部を設けて、その膨出部を遊技球の流下通路とした弾球遊技機（特開昭５６−８５３７３号公報）、透視部材の一部を突出させて遊技球の流下通路としたパチンコ玩具（実開平６−４８１号公報）、遊技媒体としてパチンコ球を使用するスロットマシンにおいて回転ドラムの前面側を覆う透明なカバー部材の一部を回転ドラムの外周に沿って突出させたもの（特開２００１−３１０００９号公報）等もある。
【０００６】
【特許文献１】
特開昭５６−８５３７３号公報（第２頁、第２図）
【特許文献２】
実開平６−４８１号公報（請求項１、図２）
【特許文献３】
特開２００１−３１０００９号公報（請求項２、図５、図７）
【０００７】
【発明が解決しようとする課題】
従来技術に記載したように、遊技盤とガラス板は平行であり、その間の距離が１３ｍｍ〜２５ｍｍと定められている。その決められた状況で、遊技球の前後の動きに複雑さを与えたり斬新な動きをさせるには、従来技術に記載したように、遊技盤に切り欠きや凹部を設け、遊技球を遊技盤の表面より後方で行うしかない。
【０００８】
しかし、上記のように、入賞装置や表示装置等を後方に配置することで様々な問題が発生する。例えば、インパクトが無くなったり、目立たなくなる、見難いなど見た目上の問題だけでなく構造的にも問題が生じる。
遊技盤の裏側には、入賞球を回収する装置、球貸しを行う球貸装置、賞球を払出す払出装置、表示装置、ランプなどを制御する制御装置、パチンコ全体を制御する制御装置など、所狭しと沢山な装置が配置されている。その状態で、入賞装置や表示装置をより後方に持ってくると、後ろが出っ張ってしまい、遊技機本体が遊技設置島に設置し難くなったり設置出来なくなってしまうという問題が発生する。
【０００９】
逆に、規則とは関係なく、遊技盤とガラス板の間隔を全体に大きくして全体を前に突き出すことが考えられるが、そうすることで、遊技球が、ガラス板に向かって飛び跳ねてしまう。また、後方に配置する場合よりは、見難くなったり目立たなくなるということはなくなるが、せっかく前方に突き出した構成にしたのに現在の状態と何も変わらなくなってしまう。
【００１０】
【課題を解決するための手段および発明の効果】
請求項１記載の弾球遊技機は、遊技盤と、該遊技盤にほぼ平行に配される透視部材とを備えて、前記遊技盤と前記透視部材との間を流下する遊技球の挙動により遊技が行われる弾球遊技機において、前記透視部材の一部を前方に突出した突出透視部とし、該突出透視部の背面側に形成される凹部には遊技球を進入させない構成とされているので、突出透視部を設けても遊技球が流下する領域については遊技盤と透視部材との間隔を規定範囲（１３ｍｍ〜２５ｍｍ）にできる。そして、突出透視部の凹部を利用して例えば表示装置等の遊技部材を大幅に突出させることができる。つまり、突出させる遊技部材を大型化でき、迫力を出したり強調することができる。
【００１１】
どの遊技部材を凹部に突出させるかによってそれぞれ特有の効果は異なるものの、全体的に遊技規則を守りつつ、斬新で遊技者が楽しめる弾球遊技機ができる。また、限られた空間を最大限有効に活用できる。
なお、突出透視部の凹部を利用して遊技部材を突出させる場合、常時突出状態にする構成でもよいし、遊技部材全体又は突出させる部分を可動として凹部に突出する状態と突出しない（又は突出量が小さい）状態とに変化させてもよい。
【００１２】
請求項２記載の弾球遊技機は、遊技盤と、該遊技盤に装着された遊技部材と、該遊技盤にほぼ平行に配される透視部材とを備えて、前記遊技盤と前記透視部材との間を流下する遊技球の挙動により遊技が行われる弾球遊技機において、前記透視部材の一部よりも前方に突出する突出部を有する前記遊技部材と、前記突出部を覆う透明カバーとを備え、前記透明カバーの背面側に形成される凹部には遊技球を進入させない構成とされているので、遊技部材に突出部を設けて遊技部材を大型化でき、迫力を出したり強調することができる。
【００１３】
その突出部は透明カバーで覆われるが、透明カバーの背面側の凹部には遊技球を進入させない構成とされているので、遊技球が流下する領域については遊技盤と透視部材との間隔を規定範囲（１３ｍｍ〜２５ｍｍ）にできる。
どの遊技部材を凹部に突出させるかによってそれぞれ特有の効果は異なるものの、全体的に遊技規則を守りつつ、斬新で遊技者が楽しめる弾球遊技機ができる。また、限られた空間を最大限有効に活用できる。
【００１４】
なお、突出部は、常に突出していてもよいし、遊技部材全体又は突出部を可動として突出量を変化させてもよい。
請求項３記載の弾球遊技機は、請求項２記載の弾球遊技機において、前記突出部を有する前記遊技部材は表示装置であるから、大型化により、迫力を出したり強調する効果が良好に発現する。
【００１５】
【発明の実施の形態】
次に、本発明の実施例により発明の実施の形態を説明する。
【００１６】
【実施例】
図１に示すのは、弾球遊技機の一種であるパチンコ機１００の斜視図である。この図１に示すように、本実施例のパチンコ機１００は、長方形の外枠１０１と前面枠１０２とからなる筐体にて構成の各部を保持する構造である。なお、パチンコ機１００には、プリペイドカードの読み書き等を行うためのプリペイドカードユニット（ＣＲユニット）が付属することがある。
【００１７】
前面枠１０２は、左端上下のヒンジ１０３（下のヒンジは図示されない）により外枠１０１に対し開閉可能に取り付けられており、通常は図示するように閉じた状態とされる。
前面枠１０２には、窓状の透視部材保持枠１０４が前面枠１０２に対して開放可能に取り付けられている。この透視部材保持枠１０４には透明な合成樹脂製の透視部材１０５がはめ込まれ、透視部材１０５の奥には前面枠１０２に保持された遊技盤１０が収納されている。透視部材１０５は透視部材保持枠１０４から取外し可能である。
【００１８】
透視部材１０５の中央部は箱状に前方に突出して突出透視部１０５ａとされ、その突出透視部１０５ａの背後（凹部）に対応する位置にはセンター役物１４が配されている。
透視部材保持枠１０４の下方には上皿１０６が配され、前面枠１０２に対して開放可能に取り付けられている。
【００１９】
上皿１０６の下方にては下皿１０７が前面枠１０２に固定され、下皿１０７の右側には発射ハンドル１０８が取り付けられている。発射ハンドル１０８を時計回りに回動操作すれば発射装置（図示略）が稼働して、上皿１０６から供給された遊技球を遊技盤１０に向けて発射する。
【００２０】
図２に示すように、遊技盤１０には図示省略の外レールと内レールとによって囲まれた略円形の遊技領域１３が形成されている。
遊技領域１３の中央部にはセンター役物１４が装着されている。センター役物１４は、中央に配された液晶表示装置１５、その周囲を囲む液晶飾り枠１６等から構成されている。
【００２１】
また、遊技盤１０には、風車１７、サイド飾り１８、ゲート１９、チューリップ式の普通電動役物２０、普通入賞口２１、アタッカー式の大入賞口２２と左右の普通入賞口２３とを備える大入賞装置２４等が装着され、また多数の遊技釘２５が植設されており、最下部にはアウト口２６が設けられている。
【００２２】
図３（ｂ）に示すように、センター役物１４は、一部が遊技盤１０の取付穴１０ａに収容され前面部が遊技盤１０の表面１０ｂから突出して遊技盤１０に固定されるベース部２７、ベース部２７に保持された液晶飾り枠１６、同じくベース部２７に保持された液晶表示装置１５等から構成されている。なお、液晶表示装置１５の駆動回路１５ａは一部が遊技盤１０の後方に突き出している。また、液晶表示装置１５の表示面を保護するための透明な保護部１５ｂは液晶飾り枠１６の内側に位置しており、前方（遊技者）から視認可能である。
【００２３】
前述したとおり透視部材保持枠１０４は開閉可能になっており、透視部材１０５は透視部材保持枠１０４に着脱（交換）可能であるので、図３に示すようにセンター役物１４を前面に突出た構成にすることで、その飛び出たセンター役物１４と透視部材１０５とが、開閉時或いは透視部材１０５の着脱時に干渉する可能性がある。
【００２４】
その問題を解決するためには、透視部材１０５とセンター役物１４との隙間を十分に広くすればよい。しかし、単にこの隙間を広げただけでは、その隙間に遊技球が挟まってしまったり、図３（ａ）に例示するように遊技球Ｂが突出透視部１０５ａの背後（凹部）に侵入するおそれがある（遊技規則に違反してしまう。また、遊技球が下に流下されなくなる）。
【００２５】
そこで、本実施例では、ベース部２７の外周に侵入防止部材３０を設けて、遊技球Ｂが透視部材１０５とセンター役物１４との隙間から突出透視部１０５ａに進入するのを防止し、また突出透視部１０５ａの開口部に遊技球Ｂが挟まるのを防止している。
【００２６】
なお、侵入防止部材３０の取付け場所及び取り付け方法には限定はなく、その目的を達成でき且つ開閉時や取り付け時に透視部材１０５と干渉しなければよいのであるが、侵入防止部材３０は、センター役物１４（遊技部材）の方に取付けるか遊技部材と一体化するのが好ましい。
【００２７】
このパチンコ機１００の動作は、いわゆる第１種パチンコ機と同様であって、始動入賞口である普通電動役物２０に入賞すると周知の乱数抽選が行われ（保留満杯時は除く）、液晶表示装置１５によって特別図柄が変動表示されてから、上記の抽選が大当たりであれば大当たり図柄が確定表示され、外れなら外れ図柄が確定表示される。そして、上記の抽選が大当たりで大当たり図柄が確定表示されると特別遊技（大当たり遊技）が実行される。この特別遊技の内容は公知の第１種パチンコ機と同様であるから説明を省略する。
【００２８】
以上のように、本実施例のパチンコ機１００は、遊技盤１０の前方を覆う透視部材１０５の一部を前方に突出した突出透視部１０５ａとし、突出透視部１０５ａの背面側に形成される凹部には遊技球を進入させない構成とされているので、突出透視部１０５ａを設けても遊技球が流下する領域については遊技盤１０と透視部材１０５との間隔を規定範囲（１３ｍｍ〜２５ｍｍ）にできる。そして、突出透視部１０５ａの凹部を利用してセンター役物１４（液晶表示装置１５）を大幅に突出させることができる。つまり、突出させる分だけセンター役物１４（液晶表示装置１５）を大型化でき、迫力を出したり強調することができる。このように、全体的に遊技規則を守りつつ、斬新で遊技者が楽しめるパチンコ機１００となる。また、限られた空間を最大限有効に活用できる。
【００２９】
特に、液晶表示装置１５（液晶盤の表示面）が突出しているので、液晶表示装置１５の表示を強調できるし大型化もできる。また液晶枠飾り枠１６が前方に突出た構成にすることで、自分以外の人に液晶表示装置１５の表示内容を見せないようにすることが出来るから、隣の客が自分の遊技している液晶表示装置１５を覗こうとしても覗けない。これにより、覗かれて遊技に集中できなくなったり、腹立たしく感じることはなくなる。
【００３０】
なお、センター役物１４の構成部分中で突出透視部１０５ａ内に突出している部分（液晶飾り枠１６及び液晶表示装置１５の一部）は突出部に該当し、突出透視部１０５ａは透明カバーでもある。
【００３１】
【変形例】
次に、いくつかの変形例により他の実施態様を説明する。なお実施例と共通する部分については各例とも実施例と同符号を使用して説明を省略する。
［変形例１］
図４に示す例ではベース部２７と透視部材１０５との間隔が遊技球の半径より小さく設定されており、遊技球が突出透視部１０５ａ内に進入するのを防止している。すなわち、実施例で説明した侵入防止部材３０を備えなくとも突出透視部１０５ａへの遊技球の進入を防止できるので、部品点数を少なくできる。しかも、実施例と同様に、開閉時や取付け時におけるセンター役物１４と透視部材１０５との干渉も回避できる。
【００３２】
また、この例ではベース部２７の上面に遊技球流入口３１が開設されており、下部には遊技球流入口３１に連通する流出口（図示されない）が設けられている。このため、遊技球流入口３１に流入した遊技球は液晶表示装置１５の背後を通過して流出口から落下する。センター役物１４の上方から遊技球を導入して下方に通過させるので、その分遊技球が流下する流下スペースが増えている。
［変形例２］
実施例及び変形例１は液晶飾り枠１６及び液晶表示装置１５の一部を突出部としているが、図５に示すように、液晶飾り枠１６のみを突出部として突出透視部１０５ａ内に位置させ、液晶表示装置１５は突出透視部１０５ａ外に位置させることもできる。
【００３３】
液晶飾り枠１６のみを突出させているので、上述した自分以外の人に液晶表示装置１５の表示内容を見せないようにする効果がより確実になる。
なお、この変形例２の構成でも変形例１と同様、ベース部２７に遊技球流入口３１を設けて、遊技球流入口３１に流入した遊技球を流出口から落下させる構成にできるが、液晶枠飾り枠１６と液晶表示装置１５の双方が前に突出た構成（実施例及び変形例１）の方が、液晶表示装置１５の裏面を多く使うことが可能である。
［変形例３］
或いは図６に示すように、液晶表示装置１５の一部（液晶表示装置１５の表示面及び保護部１５ｂ）を突出部として突出透視部１０５ａ内に位置させ、液晶飾り枠１６のみ突出透視部１０５ａ外に位置させることもできる。
［変形例４］
変形例１〜３は、液晶表示装置１５及び液晶枠飾り枠１６の両方又は一方を固定的に前に突出させた例であるが、液晶表示装置１５及び液晶枠飾り枠１６の両方又は一方を可動にして突出させたり引っ込めたりできる。
【００３４】
例えば通常の状態では、図７に示すように液晶表示装置１５及び液晶枠飾り枠１６の両方を後退（突出透視部１０５ａから退去）させておき、特定時には、図４のように液晶表示装置１５及び液晶枠飾り枠１６の両方を前進（突出透視部１０５ａに進入）させたり、図５のように液晶枠飾り枠１６を前進（突出透視部１０５ａに進入）させたり、図６のように液晶表示装置１５を前進（突出透視部１０５ａに進入）させる構成にできる。
【００３５】
また、通常の状態では図４、図５、図６のいずれかに示す状態としておいて、特定時には図７に示すように液晶表示装置１５及び液晶枠飾り枠１６の両方を後退（突出透視部１０５ａから退去）させる構成にもできる。
或いは、循環的に又はランダムに、図４、図５、図６、図７の状態にしたり、同様にそれらの内の２つ又は３つの状態にする構成も可能である。
【００３６】
このように、液晶表示装置１５と液晶飾り枠１６とを動かすことで（それらの一方だけでも動かすことで）、例えば大当たりへの期待感を出したり、インパクトを与えることができる。
また、変形例１（図４）のように遊技球流入口３１と流出口を設けて、遊技球流入口３１に流入した遊技球を流出口から落下させる構成にすれば、遊技球が流下する流下スペースを増やすことができる。
［変形例５］
変形例４のように可動にする場合、図８に示す構成とすることができる。
【００３７】
図８に示すセンター役物１４は、ベース部２７の上面にワープ入口３２が開口しており、液晶飾り枠１６には２本のワープ通路３３、３４、ワープ通路３３の出口３３ａから流出してきた遊技球を遊動させる前ステージ３５、前ステージ３５の前縁部に設けられた落下溝３５ａ、ワープ通路３４の出口３４ａから流出してきた遊技球を遊動させる奥ステージ３６、奥ステージ３６の中央部に開口する落下口３６ａ等が備わっている。また、前ステージ３５と奥ステージ３６とは仕切３８によって仕切られていて、前ステージ３５と奥ステージ３６との間では遊技球が移動できない。
【００３８】
液晶飾り枠１６及び液晶表示装置１５は、前ステージ３５に通じるワープ通路３３がワープ入口３２に整合する（図８（ｄ）の上半部参照）後退位置と奥ステージ３６に通じるワープ通路３４がワープ入口３２に整合する（図８（ｄ）の下半部参照）前進位置との間で前後進可能である。
【００３９】
液晶飾り枠１６が後退位置になってワープ通路３３がワープ入口３２に整合しているときにワープ入口３２に流入した遊技球は、ワープ通路３３を通って出口３３ａから前ステージ３５に流出し、前ステージ３５上で遊動して落下溝３５ａから落下する。液晶飾り枠１６が後退位置になっているので、落下溝３５ａから落下した遊技球は突出透視部１０５ａ内には流入せず、突出透視部１０５ａの下側で透視部材１０５と遊技盤１０の表面１０ｂとの間を流下する。
【００４０】
一方、液晶飾り枠１６が前進位置になってワープ通路３４がワープ入口３２に整合しているときにワープ入口３２に流入した遊技球は、ワープ通路３４を通って出口３４ａから奥ステージ３６に流出し、奥ステージ３６上で遊動して落下口３６ａから落下する。液晶飾り枠１６が前進位置になっているので、落下口３６ａから落下した遊技球は突出透視部１０５ａの下側で透視部材１０５と遊技盤１０の表面１０ｂとの間を流下する。勿論、落下口３６ａから落下した遊技球が突出透視部１０５ａ内に流入することはない。
【００４１】
落下溝３５ａ又は落下口３６ａからの落下位置は、その落下先（下方）に配されている普通電動役物２０のほぼ真上になるので、これらから落下した遊技球が普通電動役物２０に入賞する可能性は高い。ただし、落下口３６ａの方は落下位置がほぼ一箇所に特定されるのに対して、落下溝３５ａは幅の範囲で落下位置が変化する。また、落下溝３５ａ以外から落下することもある。したがって、奥ステージ３６すなわち落下口３６ａの方が普通電動役物２０に入賞し易いと言える。
【００４２】
なお、ここでは液晶飾り枠１６及び液晶表示装置１５が連動して前後に動く構成を示したが、液晶飾り枠１６のみを可動にしても本例と同様の構成、効果が可能になる。
［変形例６］
図９に示すのは突出部を有する遊技部材の一例である。この遊技部材４０は、液晶表示装置４１、液晶表示装置４１の前方に配された箱状の演出ケース４２、演出ケース４２の一隅に設置されたファン４３、演出ケース４２に封入されている花びら（模造品）４４等からなる。なお、演出ケース４２は透明な合成樹脂製であり、密閉状態になっている。また、液晶表示装置４１の表示面は演出ケース４２の外面にほぼ密接している。
【００４３】
この遊技部材４０は、透視部材１０５に演出ケース４２の外形に整合する穴を設けて、その穴から演出ケース４２の一部を遊技者側に突出させた状態で
遊技盤１０に取り付けられるが、実施例のセンター役物１４と同様に突出透視部１０５ａに演出ケース４２の一部又は全部を収容した状態で遊技盤１０に取り付けてもよい。
【００４４】
この遊技部材４０においては、液晶表示装置４１は実施例と同様に大当たりか否かの表示（特別図柄の変動表示と確定表示）を行う。また液晶表示装置４１の表示動作において特定の表示がなされたとき、例えば図示のように桜の木が表示されたときや大当たり図柄が確定表示されたときに、或いは大当たり予告として、ファン４３が稼働して花びら４４を舞い散らせる。なお、花びら４４は演出ケース４２に封入されているので、花びら４４が遊技領域に入ることはない。
【００４５】
このように突出透視部１０５ａを設けることにより、その空間を利用した演出用の遊技部材４０を装備でき、従来になかった新規な演出が可能となる。また、この演出が突出透視部１０５ａ内という従来よりも遊技者に近い位置で行われるので、その迫力も大きい。
【００４６】
また、演出等を行うための構成は図９の構成に限らず、例えば図１０に示すように各種可能である。
図１０（ａ）に示す例は、図９と同様に透明な演出ケース４２内に花びら４４を封入してある。そして、ファン４３がセンター役物１４の下部に組み込まれており、ファン４３に対応して演出ケース４２に設けられた孔から送風される。なお、ファン４３と演出ケース４２とは密接状態とされていて、ファン４３用の孔から花びら４４が飛び出すことはない。図１０（ａ）の構成でも図９と同様に動作させて花びら４４による演出ができる。
【００４７】
この遊技部材４０は、図９の遊技部材４０と同様にパチンコ機１００に装着される。
図１０（ｂ）に示すのは、演出ケース４２に遊技球挿入口５１、誘導路５２、進路操作片５３、スライド摘み５４、複数の受球穴５５を設けたものである。この例では、遊技者は、遊技球挿入口５１から遊技球を挿入し、スライド摘み５４を操作して進路操作片５３を前後に移動させ、適宜の位置にした進路操作片５３に誘導路５２を通ってきた遊技球を当たらせて遊技球の進路を受球穴５５に向かわせて、いずれかの受球穴５５に入球させる遊技を行える。
【００４８】
この説明から明らかなように、この演出ケース４２は、遊技球挿入口５１及びスライド摘み５４が透視部材１０５の外側になるように、透視部材１０５の穴から演出ケース４２の一部を遊技者側に突出させている。
演出ケース４２が密閉状態なので遊技球挿入口５１から挿入した遊技球が遊技領域１３に進入することはないし、遊技領域１３を流下する遊技球が演出ケース４２に流入することもない。
【００４９】
演出ケース４２内での受球穴５５に入球させる遊技は、遊技領域１３におけるパチンコ遊技とは関係がなく、例えば何処かの受球穴５５に遊技球が入ったからといってパチンコ遊技には何の影響も与えない構成であるが、例えば挿入した遊技球が特定の受球穴５５に入った場合、普通電動役物２０が数秒間、開放される等、このゲームの結果をパチンコ遊技に関連させてもよい。
【００５０】
図１０（ｃ）に示すのは、演出ケース４２にベルト式の回転表示器６１、６２を備えて、液晶表示装置１５の前方でベルト６１ａ、６２ａに描かれた絵を回転表示する構成である。ベルト６１ａ、６２ａを透明にして、また絵も透光性にして液晶表示装置１５の表示と重畳表示することで表示上の演出が行われる。
【００５１】
この遊技部材４０は、図９の遊技部材４０と同様にパチンコ機１００に装着される。
図１０（ｄ）に示すのは、前面側が開放された演出ケース６５を用いる例である。この演出ケース６５は、前面に開口６５ａが設けられているが、それ以外の５面は閉じており、図９の遊技部材４０と同様にパチンコ機１００に装着される。演出ケース６５の床部分には遊技者によって操作される操作入力部（入力キー）６６が設けられており、この操作入力部６６のキー操作により遊技者の意志を遊技に反映させることができる。
【００５２】
図１０（ｅ）に示すのは、演出ケース４２の側面に不透明部材６８を設けて、隣の遊技客に自分の表示内容を見られないようにした例である。
図１０（ｆ）に示すのは、演出ケース４２の内部にランプ６９を取付けて、大当たり時、リーチ時、大当たり予告時などにランプ６９を発光させて演出を行う例である。なお、ランプ６９を単なる照明として用いてもよい。また、側面を図１０（ｅ）のように不透明にしてもよい。
【００５３】
一般に演出用の装置を遊技領域１３に配置していたら、他の遊技部材を小さくしなければならないが、図９又は図１０に示す各例のように演出などを行う装置を遊技領域１３以外に配置することで、遊技領域１３に大型の表示装置を置いたり、直接遊技に関係するものを複雑にすることができる。
【００５４】
また、上皿や、遊技領域１３の上方に演出装置をおいても、あまり、目立たなく、演出の意味が無くなってしまうが、演出用の装置を遊技領域１３の中心部などに設置できるので、この演出用の装置が目立つうえ、遊技領域１３のスペースを狭くさせない効果がある。
【００５５】
以上、実施例に従って、本発明の実施の形態について説明したが、本発明はこのような実施例に限定されるものではなく、本発明の要旨を逸脱しない範囲でさまざまに実施できることは言うまでもない。
例えば、実施例は第１種パチンコ機を例にして説明したが、本発明は第１種パチンコ機に限定されるものではなく、他の形式のパチンコ機やアレンジボール式パチンコ機にも適用できる。また、突出させる遊技部材は表示装置に限定されるものではない。
【００５６】
実施例では透視部材を合成樹脂製にしているが、従来と同様にガラスを使用してもよい。ただし、合成樹脂製にすれば突出透視部を複雑な構成にできるし、遊技球や役物があたっても割れたり傷つきにくいので、透明な合成樹脂が望ましい。
【００５７】
また、透視部材の一部を前方に突出することで、遊技者がその突出部分に接触したり、あるいは故意に叩く等の可能性があるので、突出部に振動感知センサなどを設け、そのセンサが検出した場合に警告音などを鳴らすような構成にしてもよい。また、ぶつかっても遊技者が怪我をしないように、注意を促すためのシールを貼っておいたり、角部を丸みのある形状にしたり柔軟な構成にするのが好ましい。
【図面の簡単な説明】
【図１】実施例のパチンコ機の斜視図。
【図２】実施例の透視部材と遊技盤の説明図。
【図３】センター役物と透視部材の説明図であり、（ａ）は侵入防止部材３０を備えない場合の説明図、（ｂ）は実施例の説明図。
【図４】変形例１、４の説明図。
【図５】変形例２、４の説明図。
【図６】変形例３、４の説明図。
【図７】変形例４の説明図。
【図８】変形例５の説明図。
【図９】変形例６の説明図。
【図１０】変形例６の他の例の説明図。
【符号の説明】
１０　　　　遊技盤
１３　　　　遊技領域
１４　　　　センター役物（遊技部材）
１５　　　　液晶表示装置（遊技部材）
１６　　　　液晶飾り枠（遊技部材）
２７　　　　ベース部
３０　　　　侵入防止部材
４０　　　　遊技部材
４１　　　　液晶表示装置
４２　　　　演出ケース
１００　　パチンコ機
１０５　　透視部材
１０５ａ　　　　　　　　突出透視部
【図１】
2004121551.tif 000003
【図２】
2004121551.tif 000004
【図３】
2004121551.tif 000005
【図４】
2004121551.tif 000006
【図５】
2004121551.tif 000007
【図６】
2004121551.tif 000008
【図７】
2004121551.tif 000009
【図８】
2004121551.tif 000010
【図９】
2004121551.tif 000011
【図１０】
2004121551.tif 000012